(57)【要約】【課題】従来の全量噴射エアゾール装置の問題点を解決して、密閉空間中に均一にエアゾール組成物を散布できる全量噴射エアゾール装置を提供すること。【解決手段】エアゾール組成物の噴射剤／原液の比率（容量）が７０／３０〜９０／１０であり、かつ床面積１０〜１６．５ｍ2 に均一に散布できる量のエアゾール組成物を全量噴射するに要する時間が１分以内であることを特徴とする全量噴射エアゾール装置。好ましくはバルブのアンダータップ／ステムの孔面積比が７〜１２であり、かつアンダータップ孔面積が３〜５ｍｍ2 であり、さらに好ましくはステム／ノズル孔面積比が０．２〜２であり、かつベーパ−タップ孔を有する。【選択図】図１
2006213409.tif 000002
【特許請求の範囲】
【請求項１】
噴射剤／原液の比率（容量）が７０／３０〜９０／１０であり、かつ床面積１０〜１６．５ｍ2 当たりの噴射時間が１分以内であることを特徴とする全量噴射エアゾール装置。
【請求項２】
前記エアゾール装置のバルブのアンダータップ／ステムの孔面積比が７〜１２であり、かつアンダータップ孔面積が３〜５ｍｍ2 であることを特徴とする請求項１に記載の全量噴射エアゾール装置。
【請求項３】
ステム／ノズル孔面積比が０．２〜２であることを特徴とする請求項１又は請求項２に記載の全量噴射エアゾール装置。
【請求項４】
ベーパータップ孔を有することを特徴とする請求項１ないし請求項３のいずれか１項に記載の全量噴射エアゾール装置。
【発明の詳細な説明】
【技術分野】
【０００１】
本発明は、エアゾール製品に関するものであり、さらに詳しくは限定された空間に、短時間に、エアゾール製品１缶を一時に全量噴射して用いるエアゾール装置に関する。
【背景技術】
【０００２】
殺虫剤や消臭剤などの有効成分を少量の溶剤に溶解し、該溶液と噴射剤を噴射装置付きの耐圧容器に入れてなるエアゾール製品は、他の剤形の殺虫剤、例えば粉剤、乳剤、油剤、燻蒸製品や燻煙製品などよりも操作が簡単であり、周囲に汚れを発生させることがないなどの利点があるので便利に使用される。
殺虫用のエアゾール製品には、対象となる害虫に直接エアゾール組成物を噴射して殺虫することも行われるが、最近では害虫を駆除しようとする密閉空間の床の中央にエアゾール製品の缶を置き、缶中のエアゾール組成物全量を一時に噴射して密閉空間中の害虫を駆除することが行われている。この形式のエアゾール製品の缶を「全量噴射エアゾール装置」と呼んでいるが、この全量噴射エアゾール装置を用いる密閉空間中の害虫駆除技術においてその効果が有効に得られるために重要とされている点は、密閉空間中（特にその床面）にできる限り均一にエアゾール組成物を散布することである。
【０００３】
この目的のために特許文献１および特許文献２に複数の噴射口を有する全量噴射エアゾール装置が提案されているが、そこで得られる、密閉空間の容積または床面積に対する噴射されたエアゾール組成物の広がりは、なお十分といえない。すなわち、従来の全量噴射エアゾール装置では内容物を床面のみならず、天井の高さ方向にも部屋全体に広く拡散させるのが困難であった。また、床面だけをとっても、床の中心から壁面への方向において、内容物の拡散にバラツキがあった。これは、装置から単位時間に噴射される組成物量（以下全量噴射エアゾール装置の噴射速度あるいは噴射能力という。）が少ないため、部屋全体に均一にエアゾール組成物を散布することができないためであると思われる。
更に、噴射エアゾール装置の噴射部を改良して、エアゾール組成物噴射能力を増強した装置（特許文献１）の提案がある。しかし、これまた全量噴射エアゾール装置としてはなお不十分なものであった。
【特許文献１】特開平４−４５７３５号公報
【特許文献２】特開平６−１６９６７６号公報
【発明の開示】
【発明が解決しようとする課題】
【０００４】
本発明の課題は、従来の全量噴射エアゾール装置の問題点を解決して、密閉空間中に均一にエアゾール組成物を散布できる全量噴射エアゾール装置を提供することにある。
特に、密閉空間中に均一にエアゾール組成物を散布できるためには、その空間内にできるだけ高く噴射することが好ましいことから、その空間内においてできるだけ高く、しかも均一に噴射して、均一に散布することができる全量噴射エアゾール装置を提供することを課題とするものである。
【課題を解決するための手段】
【０００５】
従来の全量噴射エアゾール装置における前記問題点は、以下に示す本発明の全量噴射エアゾール装置によって解決される。
（１）噴射剤／原液の比率（容量）が７０／３０〜９０／１０であり、かつ床面積１０〜１６．５ｍ2 当たりの噴射時間が１分以内であることを特徴とする全量噴射エアゾール装置。
（２）前記エアゾール装置のバルブのアンダータップ／ステムの孔面積比が７〜１２であり、かつアンダータップ孔面積が３〜５ｍｍ2 であることを特徴とする前記（１）に記載の全量噴射エアゾール装置。
（３）ステム／ノズル孔面積比が０．２〜２であることを特徴とする前記（１）又は（２）に記載の全量噴射エアゾール装置。
（４）ベーパータップ孔を有することを特徴とする前記（１）ないし（３）のいずれか１項に記載の全量噴射エアゾール装置である。
【発明の効果】
【０００６】
本発明の全量噴射エアゾール装置を用いると、密閉空間中に均一にエアゾール組成物を散布できる。特に、本発明の全量噴射エアゾール装置によると、密閉空間に高くエアゾール組成物が散布されるので、遠くまで均一に散布することができる。このため、密閉空間中の床面だけでなく、その空間内の上方にいる害虫についても有効に作用する。
例えば、図２の（ａ）に示した天井の高さ２．５ｍの８畳の部屋の床面の中央に本発明の全量噴射エアゾール装置を置いて、１分間以内でエアゾール組成物の１００ｍｌを全量噴射させ、図２の（ａ）および（ｂ）で示した測定部でのエアゾール組成物のシャーレへの付着量は、そのバラツキが小さいことから、床面の各部のみならず、少なくとも床面より２ｍの高さの面でもその平面内での付着量のバラツキが小さいことがわかる。さらに、有効成分の付着量の絶対量が多いことから、薬剤の効き目も確かであるといえる。
【発明を実施するための最良の形態】
【０００７】
前記（１）において、床面積１０〜１６．５ｍ2 当たりの噴射時間が１分以内であるとは、床面積１０〜１６．５ｍ2 の密閉空間全体に、室の中心に正立させた状態で噴射させた時に、少なくとも床全体に均一に散布できる量のエアゾール組成物を１分以内に噴射でき、本発明の効果を達成できる能力の全量噴射エアゾール装置であることを意味する。言い換えれば、前記量のエアゾール組成物を１分以内に噴射する勢いで噴射すると床面積１０〜１６．５ｍ2 に均一に散布できるということである。
従ってエアゾール組成物を散布すべき密閉空間の床面積が前記床面積より広い場合には前記能力の全量噴射エアゾール装置を複数用いるか、より噴射能力の大きい装置を用いて散布すれば良い。
なお、本発明の全量噴射エアゾール装置は噴射口（ノズルまたは噴口ともいう。）が１つのものであっても、複数の噴射口を有するものであっても良い。
【０００８】
本発明の全量噴射エアゾール装置も従来のエアゾール噴射装置と同様に薬剤を溶解した溶液、噴射剤（場合によっては圧縮ガス）を充填している容器部と前記溶液と噴射剤などをエアゾール化し、そのエアゾール組成物を噴射するバルブ部とからなっている。
本発明の全量噴射エアゾール装置のバルブ部各部の寸法や口径比（主要部の孔の口径）を示すと、第１表の通りである。
【０００９】
【表１】
2006213409.tif 000003
【００１０】
第１表からわかるとおり、本発明の装置のバルブ部では噴射口の孔径、ステムの孔の孔径、アンダータップの孔径の順に太くなるように設計されている。
従って、本発明の装置の噴射口からは前記公報に記載の装置からは得られない高さ方向及び面方向での拡散面を満足できるようにエアゾール組成物が噴射されるように設計されている。このため、本発明の装置からエアゾール組成物はより高く噴射されると共に、より広い床面積に均一に散布される。
本発明の装置のバルブ部は前記のような構成であるので、本発明の装置により噴射することにより、エアゾール組成物の床面への付着量は少なくなることがなく、高さ方向にも部屋全体均一に拡散されることになり、見た目にも内容物が広がっているのが確認でき、部屋全体の殺虫、殺菌、消臭、芳香などで優れた効果が達成される。また、均一に広がるため、内容物に由来する汚れ、濡れなども軽減できる。
【００１１】
本発明の理解を深めるために図１に本発明の全量噴射エアゾール装置のバルブ部の１例を示し、該バルブ部１６の構造の概略を図１を用いて説明する。図１は押釦１２を押していない状態の図である。この状態では、ステム孔４はステムラバー２で封止されているので、エアゾール装置の容器部内、空隙６およびステム中心空隙５は連通されていない。
使用に当たって、バルブ部１６の押釦１２を押すと、スプリング８がステム１によって押し縮められ、ステム１が押し下げられ、ステム孔４がステムラバー２から外れて、エアゾール装置の容器部内が空隙６およびステム中心空隙５と連通されて、エアゾール装置の容器部内のエアゾール組成物（噴射剤を含んだもの）がステム中心空隙５に供給され、同時にステム１のステム中心空隙５と噴口７が連通されるのでエアゾール組成物が噴口７から噴射される。本発明の全量噴射エアゾール装置の押釦１２は一度押し下げると復帰しないように周知のストッパー（図示せず）により固定されるので、容器部内のエアゾール組成物は全量噴出する。
【００１２】
なお、ハウジング３、ステムラバー２やスプリング８を備えているマウンティングカップは、装置の容器部とハウジング３とを連結・固定しており、押釦１２を押し下げるとステム１がハウジング３の内面を気密性を保ちながら摺動して、前記したような仕組みによって、エアゾール組成物をステム１の空隙６およびステム中心空隙５を経て噴口７に供給できるようにしている。なお、該マウンティングカップについているガスケットラバー１３で容器部内は大気（外部）に対しての気密が保たれている。
また、ハウジング３に設けられているベーパータップ孔１１は、容器部の上部（溶液の上）にあるガスをステム１の空隙６に供給する孔であり、設けられていないエアゾール装置もある。
【００１３】
本発明において、噴射剤としては、ジメチルエーテル、液状プロパンガス（ＬＰＧ）、ｎ−ブタン、イソブタン、プロパン、イソペンタン、ｎ−ペンタン、シクロペンタン、プロピレン、ｎ−ブチレン、イソブチレン、エチルエーテル、炭酸ガスおよび使用上問題がないフロンガス（ＨＣＦＣ２２、１２３、１２４、４１ｂ、１４２ｂ、２２５、ＨＦＣ１２５、１３４ａ、１４３ａ、１５２ａ、１２、２２７ａなどを挙げることができる。
本発明において、溶媒としては、水、アルコール類：例えばメタノール、エタノール、イソプロパノール、エチレングリコール、ジエチレングリコールモノブチルエーテル、エチレングリコールモノメチルエーテルなど、ケトン類：例えば、アセトン、メチルエチルケトン、メチルイソブチルケトンなど、エステル類：例えば酢酸メチル、酢酸エチル、酢酸ブチルなど、その他エチルエーテルなど、及び脂肪族炭化水素類：例えばｎ−ヘキサン、ケロシン、灯油、ｎ−ペンタン、イソペンタン、シクロペンタンなどが挙げられる。これら溶媒は混合して使用しても良い。
【００１４】
本発明において、有効成分としては、殺虫剤、殺菌剤、殺ダニ剤、忌避剤、芳香剤、消臭剤などを挙げることができる。
殺虫剤としては安全性の観点からピレスロイド系の化合物を用いることが好ましく、代表的なものを例示すると、次のとおりである。
・ｄｌ−３−アリル−２−メチル−４−オキソ−２−シクロペンテニル ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル ｄ−シス／トランス−クリサンテマート（商品名ピナミンフォルテ：住友化学工業株式会社製、以下「ピナミンフォルテ」という）
・ｄｌ−３−アリル−２−メチル−４−オキソ−２−シクロペンテニル ｄ−トランス−クリサンテマート（商品名バイオアレスリン：ユクラフ社製）
・ｄ−３−アリル−２−メチル−４−オキソ−２−シクロペンテニル ｄ−トランス−クリサンテマート（商品名エキスリン：住友化学工業株式会社製、商品名エスバイオール：ユクラフ社製、以下「エスバイオール」という）
【００１５】
・（５−ベンジル−３−フリル）メチル ｄ−シス／トランス−クリサンテマート（一般名レスメトリン、商品名クリスロンフォルテ：住友化学工業株式会社製、以下「クリスロンフォルテ」という）
・５−プロパギル−２−フリルメチル− ｄ−シス／トランス−クリサンテマート（一般名フラメトリン、商品名ピナミンＤフォルテ：住友化学工業株式会社製、以下「ピナミンＤフォルテ」という）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製、以下「エトック」という）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製、以下「テラレスリン」という）
【００１６】
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボオキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・（±）α−シアノ−３−フェノキシベンジルｄｌ−シス／トランス−３−（２，２−ジメチル−１−シクロプロパンカルボキシラート（一般名サイパーメスリン）
また、その他の殺虫剤として、カーバメイト系のものとしてプロボクサー、オキサジアゾール系のものとしてメトキサジアゾン、有機リン系のものとしてＤＤＶＰなどを挙げることができる。
【００１７】
配合可能な害虫忌避剤としては、代表的なものを例示すると、次の物質が挙げられる。
・２，３，４，５−ビス（△２−ブチレン）−テトラヒドロフルフラール
・ジ−ｎ−プロピルイソシンコメロネート
・ジ−ｎ−ブチルサクシネート
・２−ヒドロキシエチルオクチルサルフアイド
・２−ｔ−ブチル−４−ヒドロキシアニソール
・３−ｔ−ブチル−４−ヒドロキシアニソール
・１−エチニル−２−メチル−ペンテニル２，２，３，３−テトラメチルシクロプロパンカルボキシレート
・１−エチニル−２−メチル−２−ペンテニル２，２−ジメチル−３−（２′，２′−ジクロルビニル）−シクロプロパン−１−カルボキシレート
・１−エチニル−２−メチル−２−ペンテニル２，２−ジメチル−３−（２′−１′−プロピペニル）−シクロプロパン−１−カルボキシレート
・Ｎ−ヘキシル−３，４−ジクロルマレイミドなどである。
【００１８】
配合可能な殺ダニ剤としては、代表的なものを例示すると、次の物質が挙げられる。
フェネトリン、ペルメトリン、レストメリン、ＩＢＴＡ、ＩＢＴＥ、第４級アンモニウム塩、安息香酸ベンジル、安息香酸フェニル、サリチル酸ベンジル、サリチル酸フェニル、３−ブロモ−２，３−ジヨード−２−プロペニル−エチルカルボナート、４−クロルフェニール−３−ヨードプロパルギルホルマールなどである。
配合可能な殺菌剤としては、パラ−クロロ−メタキシレノール（ＰＣＭＸ）、２，４，４′−トリクロロ−２′−ハイドロキシジフェニルエーテル（イルガサンＤＰ−３００）、３−ヨード−２−プロピニルブチルカーバメート（トロイサン）などが挙げられる。
また、配合可能な芳香剤としては、じゃ香、ベルガモット油、シンナモン油、シトロネラ油、レモン油、レモングラス油などの天然香料、ピネン、リモネン、リナロール、メントール、ボルネオール、オイゲノール、シトラール、シトロネラール、ヘリオトピン、ワニリンなどの人造香料などが挙げられる。
配合可能な消臭剤としては、ラウリルメタクリレート、ゲラニルクロトネート、ミリスチル酸アセトフエノン、パラメチルアセトフエノンベンゾアルデヒドなどが挙げられる。
【実施例】
【００１９】
以下、実施例により本発明を具体的に説明する。ただし、本発明はこれらの実施例のみに限定されるものではない。
実施例１〜３、比較例１および２（総括して「試験１」ともいう）
本発明の全量噴射エアゾール装置１５（「検体１５」ともいう）を天井の高さが２．５ｍの８畳の部屋の床の中央に図２の（ａ）に示すごとく正立させて置く。また、全量噴射エアゾール装置１５から散布されたエアゾール組成物の到達分布を組成物中の有効成分の分析によって解析するため、エアゾール組成物を収集するためのシャーレ１４（口径９ｃｍ）を図２の（ａ）および（ｂ）に図示した位置に置く。すなわち、シャーレ１４は、床面について、部屋の４隅の４ケ所（中心より２．４ｍの個所）、部屋の中央と４隅とを結ぶ対角線上の中間点（中心より１．２ｍの個所）の４ケ所に置く。また、シャーレ１４は、部屋の４隅の高さ１ｍと高さ２ｍの各４ケ所の位置に置く。
特に断らない限り、噴射されるエアゾール組成物はジメチルエーテル（７５ｍｌ）、ケロシン（２５ｍｌ）とペルメトリン（２ｇ）からなるものである。
【００２０】
下記第２表の実施例１〜３には、表に示す各部の孔径を有する前記全量噴射エアゾール装置１５によりエアゾール組成物の１００ｍｌを全量噴射させたとき、噴射に要する噴射時間と噴射時間に対応する噴射到達高さを確認し、表示した。また、第２表の比較例１および２には、検体１５を第２表に示す各部孔径を有する従来タイプのエアゾール装置とし、実施例１〜３で使用したと同じ組成のエアゾール組成物の１００ｍｌを全量噴射させたとき、噴射に要する噴射時間と噴射時間に対応する噴射到達高さを確認し、表示した。
噴射到達高さの確認は、目視で行った。その結果２ｍ以上の到達高さを得るためには、噴射時間を１．０分以内とすれば良いことがわかった。
なお、試験は以下のものを含め全てにおいて試験室の換気回数は１．５回／時の条件とした。
【００２１】
【表２】
2006213409.tif 000004
【００２２】
実施例４〜８、比較例３（試験２のＩともいう）
検体１５とシャーレ１４の配置は前記試験１（実施例１〜３、比較例１および２）の場合と同じ配置とし、検体１５の各部の孔径や孔面積比を下記第３表の実施例４〜８あるいは比較例３の欄に記載したようにし、検体１５を第３表の噴射時間の欄に記載した時間でエアゾール組成物の１００ｍｌを全量噴射させた。
試験２のＩ（実施例４〜８、比較例３）では検体１５から散布されたエアゾール組成物の到達分布を床面バラツキ率および高さバラツキ率として評価したが、この評価のための分析は、噴射２時間後、シャーレ１４を回収し、シャーレ１４を規定量のアセトンで洗浄し、洗浄に使用したアセトンをガスクロマトグラフにかけ、内部標準法で有効成分（ペルメトリン）を定量することにより評価した。
【００２３】
ここで、測定した要件は次のとおりである。
床面バラツキ率：床面中心から１．２ｍおよび２．４ｍの距離にある床面上の図２の（ａ
）に示す各４ヶ所に配置したシャーレ１４に付着した有効成分の付着量の標準偏差を各
４ヶ所の有効成分の付着量の平均値で割った値を合計し、その合計量を下記評価基準に
照らして到達分布の均一性を表した。
（評価基準）：優 〜０．３５；良 〜０．４５；可〜０．５５；不可 ０．５６〜
高さバラツキ率：床面高さ１ｍおよび２ｍの図２の（ｂ）に示す各４ヶ所に配置したシャ
ーレ１４に付着した有効成分の付着量の標準偏差を各４ヶ所の有効成分の付着量の平均
値で割った値を合計し、その合計値を下記評価基準に照らして到達分布の均一性を表し
た。
（評価基準）：優 〜０．５０；良 〜１．０；可〜１．５；不可 １．６〜
である。
なお、噴射時間と噴射到達高さも測定した。
結果を第３表に示す。
【００２４】
【表３】
2006213409.tif 000005
【００２５】
比較例４（試験２のIIともいう）
検体１５とシャーレ１４の配置は前記試験１（実施例１〜３、比較例１および２）の場合と同じ配置とし、検体１５の各部の孔径や孔面積比を下記第４表の比較例４の欄に記載したようにし、検体１５を第４表の噴射時間の欄に記載した時間でエアゾール組成物の１００ｍｌを全量噴射させた。
また、検体１５から散布されたエアゾール組成物の到達分布は前記試験２のＩにおけると同様にして床面バラツキ率および高さバラツキ率として評価した。評価の結果を第４表に示す。
【００２６】
【表４】
2006213409.tif 000006
【００２７】
第３表及び第４表から、床面、高さ方向共に均一に拡散させるには、アンダータップの孔面積を３〜５ｍｍ2 で、アンダータップ／ステムの孔面積比を７〜１２、ステム／ノズルの孔面積比を０．２〜２とすれば良く、均一に拡散させることができる。さらにはベーパータップの孔面積を０．０５〜０．１５ｍｍ2 とすることにより、なお均一に拡散させることができる。
【００２８】
実施例５、７、８および比較例４（総括して試験３ともいう）
前記試験２のＩおよび試験２のIIの評価結果の中実施例５、７、８および比較例４における、
（１）床面の検体１５から１．２ｍの距離に置いたシャーレ１４に付着した有効成分（ペルメトリン）の付着量の平均値、
（２）床面の検体１５から２．４ｍの距離に置いたシャーレ１４に付着した有効成分の付着量の平均値、
（３）床上１ｍの高さの面上に検体１５の真上（床上１ｍの面の中心）から２．４ｍの距離に置いたシャーレ１４に付着した有効成分の付着量の平均値、
（４）床上２ｍの高さの面上にその面の中心から２．４ｍの距離に置いたシャーレ１４に付着した有効成分の付着量の平均値
それぞれの有効成分の付着量の平均値の測定結果を第５表に示した。なお、有効成分の付着量の単位はｍｇ／ｍ2 である。
【００２９】
【表５】
2006213409.tif 000007
【００３０】
結果：実施例５、７、８では比較例４と比べて、測定部分（１）〜（４）の４ヵ所での付着量の平均値のバラツキが小さいのみならず、付着量の絶対量が多いことがわかり、本発明の全量噴射エアゾール装置を用いると、密閉空間中に均一にエアゾール組成物を散布できることがわかる。
【図面の簡単な説明】
【００３１】
【図１】本発明の全量噴射エアゾール装置のバルブ部の一例を示す断面説明図である。
【図２】本発明の全量噴射エアゾール装置の機能試験用設備の説明図であって、（ａ）が検体およびシャーレの床面配置図、（ｂ）が検体およびシャーレの立面配置図である。
【符号の説明】
【００３２】
１  ステム
２  ステムラバー
３  ハウジング
４  ステム孔
５  ステム中心空隙
６  空隙
７  噴口
８  スプリング
９  ディップチューブ
１０  アンダータップ孔
１１  ベーパータップ孔
１２  押釦
１３  ガスケットラバー
１４  シャーレ
１５  全量噴射エアゾール装置（検体）
１６  バルブ部
【図１】
2006213409.tif 000008
【図２】
2006213409.tif 000009